(57)【要約】【課題】不停止階に移動できる権限を有さない者による操作によってエレベータの不停止階の解除が不正に行われる可能性を低減するエレベータの防犯装置およびエレベータの防犯方法を得る。【解決手段】エレベータかご（１）に設置されたかご内操作盤（１０）上の解除スイッチ（１４）および操作釦を所定の操作手順に従って操作することによりエレベータの不停止階への移動を許可するエレベータの防犯装置であって、解除スイッチは、エレベータかごの不停止階への移動を許可する「解除」状態と、不停止階への移動を制限する「設定」状態とを切替える構成を有し、かご内操作盤上の解除スイッチを「解除」状態に維持したまま、操作釦が所定の釦操作手順に従って操作されたことを検出することにより、エレベータかごの不停止階への移動を許可する。【選択図】図１
2014094793.tif 000002
【特許請求の範囲】
【請求項１】
エレベータかごに設置されたかご内操作盤上の解除スイッチおよび操作釦を所定の操作手順に従って操作することによりエレベータの不停止階への移動を許可するエレベータの防犯装置であって、
前記解除スイッチは、前記エレベータかごの不停止階への移動を許可する「解除」状態と、不停止階への移動を制限する「設定」状態とを切替える構成を有し、
前記かご内操作盤上の前記解除スイッチを「解除」状態に維持したまま、前記操作釦が所定の釦操作手順に従って操作されたことを検出することにより、前記エレベータかごの不停止階への移動を許可する制御演算部
を備えたエレベータの防犯装置。
【請求項２】
請求項１に記載のエレベータの防犯装置において、
前記所定の釦操作手順は、設定変更可能である、
エレベータの防犯装置。
【請求項３】
請求項１または２に記載のエレベータの防犯装置において、
前記制御演算部は、
タイマーを備え、
前記かご内操作盤上の前記解除スイッチを「解除」状態に維持したまま、前記操作釦が所定の釦操作手順とは違う手順で操作されたことを検出することにより、不正解除を検出したと判断し、前記タイマーの計測を開始し、前記エレベータかごのドアを開かないようにし、
前記不正解除の検出後の前記タイマーが所定の猶予時間を経過する前に、前記かご内操作盤上の前記解除スイッチを「解除」状態に維持したまま、前記操作釦が前記所定の釦操作手順に従って操作されたことを検出することにより、前記タイマーの計測を停止し、前記エレベータかごの前記ドアを開くようにし、さらに、前記エレベータかごの不停止階への移動を許可し、
前記不正解除の検出後の前記タイマーが前記所定の猶予時間を経過する前に、前記かご内操作盤上の前記解除スイッチを「解除」状態に維持したまま、前記操作釦が前記所定の釦操作手順とは別の、第２の所定の釦操作手順に従って操作されたことを検出することにより、前記タイマーの計測を停止し、前記エレベータかごの前記ドアを開くようにし、
前記不正解除の検出後の前記タイマーが前記所定の猶予時間を経過した際には、外部にアラームを通報する、
エレベータの防犯装置。
【請求項４】
請求項１に記載のエレベータの防犯装置に用いられるエレベータの防犯方法であって、
前記制御演算部において、前記かご内操作盤上の前記解除スイッチを「解除」状態に維持したまま、前記操作釦が所定の釦操作手順に従って操作されたことを検出することにより、前記エレベータかごの不停止階への移動を許可するステップ
を備えたエレベータの防犯方法。
【発明の詳細な説明】
【技術分野】
【０００１】
本発明は、エレベータかごに設置されたかご内操作盤上の解除スイッチおよび操作釦を所定の操作手順に従って操作することによりエレベータの不停止階への移動を許可するエレベータにおいて、不停止階に移動できる権限を有さない者による操作によってエレベータの不停止階の解除が不正に行われる可能性を低減するエレベータの防犯装置およびエレベータの防犯方法に関するものである。
【背景技術】
【０００２】
居住用または事務所用ビルのエレベータにおいて、防犯またはプライバシー上の理由から不停止階が設定されることがある。不停止階とは、通常運転中において、エレベータの停止が制限される階のことである。具体的には、エレベータのかご内操作盤上において、不停止階の行先釦が無効化されており、その行先釦が押された場合にも受け付けないようになっている。
【０００３】
不停止階へは、保守管理員、ビルオーナー等の、不停止階に移動できる権限を有する者（以下、関係者と呼ぶ）のみが移動することができる。関係者は、エレベータかごに設置されたかご内操作盤上の不停止階解除スイッチ（以下、解除スイッチと略す）および操作釦を操作することによって、エレベータを目的の不停止階に移動させる（以下、不停止階の解除と呼ぶ）。以下に、不停止階の解除方法の例を挙げる。
【０００４】
従来のエレベータの防犯装置における、不停止階の解除方法の一例としては、エレベータのかご内操作盤上に解除スイッチを設け、この解除スイッチにカギを差し込んで回転させることにより、不停止階の行先釦を有効化させる方法がある。この方法では、関係者を、カギを所有する者に制限できるという利点がある（例えば、特許文献１参照）。
【０００５】
また、従来のエレベータの防犯装置における、不停止階の解除方法の別の一例としては、エレベータのかご内操作盤上の操作釦を所定の手順で操作することにより、不停止階を解除させる方法がある。この方法では、関係者を、所定の釦操作を知る者に制限できるという利点がある（例えば、特許文献２参照）。
【０００６】
さらに、従来のエレベータの防犯装置において、不停止階に移動できる権限を有さない者（以下、第三者と呼ぶ）によって不停止階の解除が不正に行われようとしたことを検出（以下、不正解除の検出と略す）した場合の対処方法の一例として、エレベータかごをカメラが設置された特定の階へ強制的に移動させることで、犯人を特定する方法が提案されている（例えば、特許文献３参照）。
【先行技術文献】
【特許文献】
【０００７】
【特許文献１】特許第２６６７５７３号公報
【特許文献２】特開昭６１−３５１１０号公報
【特許文献３】特開２００５−１２６２２４号公報
【発明の概要】
【発明が解決しようとする課題】
【０００８】
しかしながら、従来技術には、以下のような課題がある。
特許文献１におけるエレベータの防犯装置では、不停止階の解除方法として解除スイッチを用いている。このため、カギが盗まれたり、複製されたりした場合には、不停止階の解除が不正に行われてしまうという課題があった。また、解除スイッチは、かご内操作盤上の解除スイッチの配線を短絡または開放させることにより、比較的容易に不停止階の解除ができてしまうという課題もあった。
【０００９】
また、特許文献２におけるエレベータの防犯装置では、不停止階の解除方法として所定の釦操作を用いている。このため、所定の釦操作を既に知っている人間や、試行錯誤により所定の釦操作を不正に知ってしまった人間によって、不停止階の解除が行われてしまうという課題があった。
【００１０】
さらに、特許文献３におけるエレベータの防犯装置では、不正解除を検出した場合に、エレベータを強制的に特定の階へ移動させてしまう。このため、権限を有する関係者が不停止階の解除操作を間違っただけの場合でも、操作のやり直しができないといった課題があった。
【００１１】
本発明は、上記のような課題を解決するためになされたものであり、不停止階に移動できる権限を有さない者による操作によってエレベータの不停止階の解除が不正に行われる可能性を低減するエレベータの防犯装置およびエレベータの防犯方法を得ることを目的とする。
【課題を解決するための手段】
【００１２】
本発明に係るエレベータ防犯装置は、エレベータかごに設置されたかご内操作盤上の解除スイッチおよび操作釦を所定の操作手順に従って操作することによりエレベータの不停止階への移動を許可するエレベータの防犯装置であって、解除スイッチは、エレベータかごの不停止階への移動を許可する「解除」状態と、不停止階への移動を制限する「設定」状態とを切替える構成を有し、かご内操作盤上の解除スイッチを「解除」状態に維持したまま、操作釦が所定の釦操作手順に従って操作されたことを検出することにより、エレベータかごの不停止階への移動を許可する制御演算部を備えたものである。
【００１３】
本発明に係るエレベータ防犯方法は、エレベータかごに設置されたかご内操作盤上の解除スイッチおよび操作釦を所定の操作手順に従って操作することによりエレベータの不停止階への移動を許可するエレベータの防犯装置において、解除スイッチは、エレベータかごの不停止階への移動を許可する「解除」状態と、不停止階への移動を制限する「設定」状態とを切替える構成を有し、かご内操作盤上の解除スイッチを「解除」状態に維持したまま、操作釦が所定の釦操作手順に従って操作されたことを検出することにより、エレベータかごの不停止階への移動を許可する制御演算部を備えたエレベータの防犯装置に用いられるエレベータの防犯方法であって、制御演算部において、かご内操作盤上の解除スイッチを「解除」状態に維持したまま、操作釦が所定の釦操作手順に従って操作されたことを検出することにより、エレベータかごの不停止階への移動を許可するステップを備えたものである。
【発明の効果】
【００１４】
本発明によれば、エレベータの不停止階の解除の方法として、エレベータのかご内操作盤上の解除スイッチ操作と所定の釦操作による解除操作を併用することにより、不停止階に移動できる権限を有さない者による操作によってエレベータの不停止階の解除が不正に行われる可能性を低減するエレベータの防犯装置およびエレベータの防犯方法を得ることができる。
【図面の簡単な説明】
【００１５】
【図１】本発明の実施の形態１における、エレベータかごのかご内操作盤の例示図である。
【図２】本発明の実施の形態１における、エレベータの防犯装置の構成図である。
【図３】本発明の実施の形態１における、不停止階の解除のための一連処理を示したフローチャートである。
【図４】本発明の実施の形態１における、「所定の釦操作」の一例を示したフローチャートである。
【図５】本発明の実施の形態２における、不正解除を検出した場合の一連処理を示したフローチャートである。
【発明を実施するための形態】
【００１６】
以下、本発明における、エレベータの防犯装置およびエレベータの防犯方法の好適な実施の形態について図面を用いて説明する。なお、各図において同一、または相当する部分については、同一符号を付して説明する。
【００１７】
実施の形態１．
図１は、本発明の実施の形態１における、エレベータかごのかご内操作盤の例示図である。図１に示すエレベータかご１は、かご内操作盤１０を備えて構成される。さらに、かご内操作盤１０は、複数の行先釦１１、戸開釦１２、戸閉釦１３、および複数の解除スイッチ１４を備える。
【００１８】
この図１は、エレベータのエレベータかご１を、内側から見た場合の図である。エレベータかご１のかご内操作盤１０は、操作者が移動する目的階を指定するための行先釦１１と、ドアを開閉するための戸開釦１２および戸閉釦１３を有している。通常運転時における操作者は、これらの操作釦を操作することにより、エレベータかご１を所望の目的階に移動させることができる。
【００１９】
なお、かご内操作盤１０上の解除スイッチ１４は、関係者が、不停止階の解除を行う際に使用するものである。これに関しては、後で詳しく説明する。
【００２０】
図２は、本発明の実施の形態１における、エレベータの防犯装置の構成図である。図２に示すエレベータの防犯装置は、エレベータかご１、制御演算部２、外部発報手段３を備えて構成される。ここで、エレベータかご１は、かご内操作盤１０、かご呼び登録検出手段１５、解除スイッチ検出手段１６、かご内部制御手段１７、ドア装置１８、およびアナウンス装置１９を備える。また、かご内操作盤１０は、行先釦１１、戸開釦１２、戸閉釦１３、解除スイッチ１４を備える。また、制御演算部２は、かご動作制御手段２０を備える。
【００２１】
実際のエレベータかご１の制御は、かご内操作盤１０の操作に応じて、エレベータかご１の外部に設置された制御演算部２のかご動作制御手段２０によって行われる。
【００２２】
操作者が、かご内操作盤１０上において行った行先釦１１、戸開釦１２および戸閉釦１３の操作は、かご呼び登録検出手段１５によって検出され、制御演算部２のかご動作制御手段２０に出力される。また、同様に、操作者が、かご内操作盤１０上において行った解除スイッチ１４の操作は、解除スイッチ検出手段１６によって検出され、制御演算部２のかご動作制御手段２０に出力される。
【００２３】
かご動作制御手段２０は、これらのかご呼び登録検出手段１５および解除スイッチ検出手段１６からの入力を、予め設定されたプログラムに従って処理する。
【００２４】
この結果、エレベータかご１のドアを開閉する必要がある場合は、かご動作制御手段２０は、かご内部制御手段１７に指示して、ドアを開閉させる。また、エレベータかご１を移動させる必要がある場合は、かご動作制御手段２０は、エレベータかご１を制御して目的階に移動させる。さらに、エレベータかご１内にアナウンスを流す必要がある場合は、かご動作制御手段２０は、かご内部制御手段１７に指示して、アナウンスを流す。
【００２５】
また、かご動作制御手段２０は、エレベータの異常を検出した場合は、外部発報手段３を制御して、外部の監視室等にアラームを通報する。
【００２６】
かご内部制御手段１７は、かご動作制御手段２０の指示に従い、エレベータかご１のドア装置１８を制御してエレベータかご１のドアを開閉する。また、同様に、アナウンス装置１９を制御してエレベータかご１内にアナウンスを流す。
【００２７】
ここまでは、操作者が不停止階以外を利用する場合、すなわち、通常運転中の一般的な操作に対するエレベータの防犯装置の動作を中心に説明した。ここからは、不停止階の解除操作が伴う場合のエレベータの防犯装置の動作を中心に説明する。
【００２８】
先に述べたように、かご内操作盤１０は、通常運転のための一般的な操作釦の他にも、不停止階の解除を行うための解除スイッチ１４を備える。解除スイッチ１４は、図１に示すように、カギを差し込んでカギを回転させることにより、状態を「解除」側と「設定」側の間で切替えることができる。解除スイッチ１４の状態は、通常は「設定」側になっているが、不停止階の解除を行う際には一時的に「解除」側に切替えられる。
【００２９】
なお、解除スイッチ１４は、前記エレベータかごの不停止階への移動を許可するための「解除」状態と、不停止階への停止を制限するための「設定」状態の２状態を有するものであれば、どのようなものでも構わない。例えば、スプリングバック式の解除スイッチ１４が利用できる。
【００３０】
スプリングバック式の解除スイッチ１４とは、カギを「解除」側に回転したままではカギを抜くことができず、手を離すとカギが自動的にばねの力で「設定」側に戻ってしまうタイプの解除スイッチ１４である。
【００３１】
このようなスプリングバック式の解除スイッチ１４を利用する利点は、カギが差されていない場合は、解除スイッチ１４が「解除」側でないことが保障される点にある。これによって、解除スイッチ１４が「解除」側のまま放置されることがなくなるため、カギを持たない第三者によって不停止階の解除が不正に行われる可能性を低減することができるようになる。
【００３２】
なお、かご内操作盤１０上における、解除スイッチ１４の配置方法は、エレベータによって異なっており、主に次の２つのタイプが存在する。第１のタイプは、図１に示すような、行先釦１１と解除スイッチ１４が対となって並んで配置されるタイプである。この場合、解除スイッチ１４は、行先釦１１と同じ数だけ存在する。
【００３３】
第２のタイプは、かご内操作盤１０上に解除スイッチ１４が１つだけ存在するタイプである。この場合は、１つの解除スイッチ１４が全ての行先釦１１で共有されることになる。したがって、不停止階の解除を行う場合は、解除スイッチ１４だけでは、目的の行先階が分からないため、行先釦１１を組み合わせて操作することになる。
【００３４】
しかしながら、第１のタイプであっても、実際は、解除スイッチ１４と行先釦１１を組み合わせて操作することが多く、両者の間に大きな操作の違いはない。したがって、以下の本発明の説明でも、両者を区別しないで一般的に扱う。しかしながら、区別する必要がある場合は、その都度説明を行う。
【００３５】
本実施の形態１における不停止階の解除方法は、かご内操作盤１０上の解除スイッチ１４の操作と連動させて、行先釦１１、戸開釦１２および戸閉釦１３を組み合わせて操作する点を技術的特徴としている。そこで、以下に、具体的な不停止階の解除方法を説明する。
【００３６】
エレベータの不停止階の解除は、次の３段階の手順で行われる。
［第１段階］操作者は、目的の階の解除スイッチ１４にカギを差し込み、回転させて、状態を「解除」側にする。
［第２段階］操作者は、かご内操作盤１０上の操作釦を所定の操作手順で操作する。
［第３段階］操作者は、解除スイッチ１４を「設定」側に戻す。
【００３７】
なお、スプリングバック式の解除スイッチ１４を利用する場合は、最後の第３段階は、カギを離すことで自動的に行われるため省略できる。操作者は、釦操作中に解除スイッチ１４を「解除」側に維持するよう気を付けるだけでよい。このように、スプリングバック式の解除スイッチ１４を利用することにより、不停止階の解除の操作性が向上し、操作間違いを低減できるようになる。
【００３８】
今後の説明では、上記第２段階の操作を「所定の釦操作」と呼び、上記第１段階と上記第３段階の操作は、いずれも「所定の解除スイッチ操作」と呼ぶことにする。
【００３９】
なお、「所定の釦操作」は、第三者が容易に思いつかないものであれば、どのようなものでも構わない。例えば、操作釦の「同時押し」、「順序押し」、「長押し」および「タイミング」を組み合わせて、目的にあったものを選択できる。以下に、いくつかの具体例を紹介する。
【００４０】
まず、「同時押し」を用いた例を挙げる。この場合には、操作者は、例えば、戸開釦１２と戸閉釦１３を同時に押すようにすればよい。但し、この操作手順は、上述の第１のタイプの解除スイッチ１４（行先釦１１の隣に並んで置かれるタイプ）でのみ有効である。第２のタイプの解除スイッチ１４（共有されるタイプ）の場合は、目的の行先階を指定する必要があるため、例えば、代わりに目的の行先釦１１と戸閉釦１３を同時に押すようにすればよい。
【００４１】
次に、「順序押し」を用いた例を挙げる。この場合には、操作者は、例えば、戸閉釦１３を押した後に、目的の行先釦１１を押すようにすればよい。
【００４２】
次に、「長押し」を用いた例を挙げる。この場合には、操作者は、例えば、目的の不停止階の行先釦１１を２秒以上長押しするようにすればよい。
【００４３】
次に、「タイミング」を用いた例を挙げる。この場合には、操作者は、例えば、解除スイッチ１４を「解除」側にしてから５秒以上経過した後に、目的の不停止階の行先釦１１を押すようにすればよい。あるいは、５秒以上の代わりに、５秒以内とすることもできる。
【００４４】
次に、「長押し」および「タイミング」を組み合わせた例を挙げる。この場合には、操作者は、例えば、解除スイッチ１４を「解除」側にしてから５秒以上経過した後に、目的の不停止階の行先釦１１を２秒以上長押しするようにすればよい。
【００４５】
次に、「同時押し」、「順序押し」、「長押し」および「タイミング」の全てを組み合わせた例を挙げる。この場合には、操作者は、例えば、解除スイッチ１４を「解除」側にしてから５秒以内に、戸開釦１２と戸閉釦１３を同時に押し、さらに、目的の行先釦１１を２秒以上長押しするようにすればよい。
【００４６】
このように、「所定の釦操作」は、行先釦１１、戸開釦１２および戸閉釦１３の「同時押し」、「順序押し」、「長押し」および「タイミング」を組み合わせた数だけ存在し、大きな自由度がある。このため、第三者による手順の解読は困難であり、「所定の釦操作」を知らない第三者によってエレベータの不停止階の解除が不正に行われる可能性を低減することができる。
【００４７】
次に、不正解除を検出した場合の動作を説明する。不正解除の検出のためには、まず、どのような操作を不正とみなすかを考える必要があるが、本発明では、不正な操作を比較的容易に定義できる。すなわち、「所定の釦操作」が間違っていた場合に、不正解除を検出したと判断するようにすればよい。
【００４８】
なお、操作者が「所定の釦操作」を終える前に、解除スイッチ１４を「設定」側に戻してしまった場合も、上記の「所定の釦操作」が間違っていた場合に含めることができる。
【００４９】
制御演算部２は、不正解除を検出した場合には、例えば、「操作が不正です」のようなアナウンスを、アナウンス装置１９を用いてエレベータかご１内に流す。この結果、第三者が不停止階の解除を不正に行おうとした場合には警告を与え、また、関係者が操作を間違っただけの場合には、正しい操作を再度促すことができる。
【００５０】
図３は、本発明の実施の形態１における、不停止階の解除のための一連処理を示したフローチャートである。以下、この図３を用いて、不停止階の解除方法を具体的に説明する。
【００５１】
なお、図３のフローチャートでは、不停止階の解除操作に係る処理のみを説明する。これ以外の、例えば、通常運転中の一般的な操作の処理については、別に独立プロセスとして扱うことができるため、図３では特に説明はしない。なお、これらのプロセスの切替えは、例えば、解除スイッチ１４の状態変化を処理する割り込みルーチン内から行うことができる。
【００５２】
図３のステップＳ１において、まず、制御演算部２は、エレベータかご１内の操作者によって「所定の解除スイッチ操作」が行われたか否かをチェックする。具体的には、操作者が、目的の階の解除スイッチ１４にカギを差し込み、回転させて、解除スイッチ１４を「解除」側にしたか否かをチェックする。
【００５３】
ステップＳ１において「所定の解除スイッチ操作」が行われた場合には、制御演算部２は、ステップＳ２に進む。一方、「所定の解除スイッチ操作」が行われなかった場合には、制御演算部２は、引き続きステップＳ１において、「所定の解除スイッチ操作」が行われるのを待つ。
【００５４】
次に、ステップＳ２において、制御演算部２は、操作者により「所定の釦操作」が行われたかをチェックする。
【００５５】
ここで、ステップＳ２における「所定の釦操作」のチェック処理の具体的な一例を紹介する。図４は、本発明の実施の形態１における、「所定の釦操作」の一例を示したフローチャートである。
【００５６】
図４に示すフローチャートは、図３におけるステップＳ２を関数として表現したものである。但し、一般的な関数ではなく、あくまで、具体的な一例を示すことを目的としたものである。図４では、先に例示した「長押し」を用いた釦操作を「所定の釦操作」として用いる。すなわち、図４の関数は、操作者が、目的の不停止階の行先釦１１を２秒以上長押ししたか否かをチェックする。
【００５７】
まず、ステップＳ２１において、制御演算部２は、操作者により行先釦１１が押されたかどうかをチェックする。なお、ステップＳ２２のタイムアウト処理は、釦操作が行われない場合に処理が無限ループなることを防ぐためのものである。
【００５８】
ステップＳ２１において、行先釦１１が押された場合には、制御演算部２は、ステップＳ２３に進む。一方、ステップＳ２１において、行先釦１１が押されなかった場合、すなわち、行先釦１１以外の操作釦が押された、または、どの操作釦も押されずにステップＳ２２でタイムアウトした場合は、制御演算部２は、「所定の釦操作」が正しく行われなかったと判断し、ステップＳ２５に進む。そして、関数の戻り値に「ＮＯ」を設定して、ステップＳ２に戻る。
【００５９】
次に、ステップＳ２３において、制御演算部２は、操作者により、行先釦１１が２秒以上継続して押されたかをチェックする。ステップＳ２３において、行先釦１１が２秒以上長押しされた場合には、制御演算部２は、「所定の釦操作」が行われたと判断し、ステップＳ２４に進み、関数の戻り値に「ＹＥＳ」を設定して、ステップＳ２に戻る。
【００６０】
一方、ステップＳ２３において、行先釦１１が２秒以上長押しされなかった場合には、制御演算部２は、「所定の釦操作」が正しく行われなかったと判断し、ステップＳ２５に進む。そして、関数の戻り値に「ＮＯ」を設定して、ステップＳ２に戻る。
【００６１】
次に、ステップＳ３において、制御演算部２は、関数の戻り値（すなわち、図４の一連処理を終えることで設定されている戻り値）をチェックする。ステップＳ３において、関数の戻り値が「ＹＥＳ」であった場合には、制御演算部２は、不停止階の解除が正常に行われたと判断し、ステップＳ４に進む。そして、ステップＳ４において、制御演算部２は、不停止階を解除して、エレベータかご１を目的の不停止階に移動させる。
【００６２】
一方、ステップＳ２において、関数の戻り値が「ＮＯ」であった場合には、制御演算部２は、不正解除を検出したと判断し、ステップＳ５において、制御演算部２は、エレベータかご１内にアナウンスを流す。
【００６３】
なお、以上の説明では、「所定の釦操作」として、目的の不停止階の行先釦１１を２秒以上長押しする釦操作を用いた。しかしながら、この「所定の釦操作」は、制御演算部２の制御プログラムのうち、図４のフローチャートに相当する部分を書き換え可能とすることにより、後から変更できる。
【００６４】
このように、「所定の釦操作」を設定変更可能とすることにより、不停止階の解除方法の防犯性を高め、さらにカギ運用の柔軟性を高めることができる。例えば、ビルのオーナーが変わったが、カギの回収に時間を要する場合などには、「所定の釦操作」を変更するだけで対応できる。
【００６５】
また、このように、エレベータの不停止階の解除の方法として、かご内操作盤１０上の解除スイッチ１４と、「所定の釦操作」とを併用することにより、いずれか一方の方法が第三者によって不正に使用された場合でも、エレベータの不停止階の解除が不正に行われる可能性を低減することができる。
【００６６】
以上のように、実施の形態１によれば、エレベータの不停止階の解除の方法として、エレベータのかご内操作盤上の解除スイッチ操作と所定の釦操作による解除操作を併用し、さらに、所定の釦操作を設定変更可能としている。これにより、不停止階に移動できる権限を有さない者による操作によってエレベータの不停止階の解除が不正に行われる可能性を低減するエレベータの防犯装置およびエレベータの防犯方法を得ることができる。
【００６７】
なお、以上の説明では、不停止階の解除のための「所定の釦操作」は全ての不停止階で共通としたが、不停止階毎に設定することも可能である。このようにすることにより不停止階の解除方法の防犯性とカギ運用の柔軟性をより高めることができる。
【００６８】
また、以上の説明では、制御演算部２は、不正解除を検出した場合は、不正操作のアナウンスを一回だけ流す（図３のステップＳ５）とした。しかしながら、例えば、複数回アナウンスを流すことも可能である。また、一定期間アナウンスを繰り返し流すことも可能である。
【００６９】
実施の形態２．
先の実施の形態１においては、「所定の釦操作」は、第三者が容易に思いつかないものであるべきとした。しかしながら、たとえ「所定の釦操作」が単純なものであっても、第三者によって不停止階の解除を試行錯誤する機会を与えなければ、不停止階の解除が不正に行われる可能性を低減できる。そこで、本実施の形態２では、不停止階の解除が第三者によって試行錯誤されることを制限する方法を説明する。
【００７０】
本実施の形態２における、不正解除を検出した場合の対処方法は、バランスを考慮したものでなければならない。例えば、一方では、停止階の解除が第三者によって不正に試行錯誤されることを制限する必要があるが、他方では、停止階の解除操作を間違えた時のために、関係者に操作をやり直す機会を与える必要がある。
【００７１】
このための方法としては、不正解除を検出した場合には、一定時間は操作をやり直せるための猶予時間（以下、所定の猶予時間と略す）を設けるようにすればよい。そして、この猶予時間内に、再度正しい操作が行われなければ、外部の監視室等に警報を発するようにする。
【００７２】
図５は、本発明の実施の形態２における、不正解除を検出した場合の一連処理を示したフローチャートである。図５は、図３のフローチャートに、次の３つの処理を追加したものである。
【００７３】
第１の追加処理は、タイマーを備え、最初に不正解除を検出した時間からの経過時間を計測している。これにより、第三者が不停止階の解除を試行錯誤できる時間を所定の猶予時間内に制限している。さらに、関係者が不停止階の解除操作を間違った場合でも、この所定の猶予時間内はやり直せるようにしている。
【００７４】
第２の追加処理は、不正解除を検出した場合には、エレベータかご１のドアを開かないようにしている。また、さらに、所定の猶予時間内に再度正しい操作が行われない場合は、外部の監視室等にアラームを通報するようにしている。
【００７５】
第３の追加処理は、タイマー解除操作を用いることにより、関係者が不停止階の解除操作を間違えて、さらに不停止階の解除操作を思い出せない場合でも、所定の猶予時間内にこのタイマー解除操作を行うことで、エレベータかご１のドアを開いてエレベータかご１から脱出できるようにしている。
【００７６】
なお、タイマー解除操作としては、不停止階の解除方法の説明で述べた「所定の解除スイッチ操作」と「所定の釦操作」を組み合わせた操作手順が使用できる。但し、不停止階の解除方法とは別のものとする必要がある。具体的には、例えば、解除スイッチ１４を「解除」側にしたまま、戸開釦１２を押すといった操作手順を採用できる。
【００７７】
以上の３つの追加処理を、図５のフローチャートを用いて具体的に説明する。なお、図５のステップＳ１〜Ｓ５は、図３におけるステップＳ１〜Ｓ５と同じものである。したがって、図５の説明は、ステップＳ６から行う。
【００７８】
ステップＳ５以前の処理において、不正解除を検出した場合には、ステップＳ６において、制御演算部２は、かご内部制御手段１７を制御して、エレベータかご１のドアが開かないようにする。
【００７９】
次に、ステップＳ７において、制御演算部２は、タイマーの動作を開始する。具体的には、制御演算部２は、タイマーを用いて、不正解除を検出してからの経過時間の計測を開始する。なお、このステップＳ７は、最初に不正解除を検出した際に一度だけ行われる。
【００８０】
次に、ステップＳ８において、制御演算部２は、操作者がタイマー解除操作を行ったか否かをチェックする。なお、タイマー解除操作とは、先に述べたように、関係者が、「所定の釦操作」を忘れた場合に、不停止階の解除を諦めてエレベータから脱出するためのものである。
【００８１】
ステップＳ８において、操作者がタイマー解除操作を行った場合には、制御演算部２は、ステップＳ１１において、タイマーの動作を停止する。さらに、ステップＳ１２において、エレベータかご１のドアが開くようにする。この結果、操作者は、エレベータかご１から脱出することができるようになる。
【００８２】
一方、ステップＳ８において、操作者がタイマー解除操作を行わなかった場合は、制御演算部２は、ステップＳ９において、最初の不正解除を検出してから所定の猶予時間が経過したか否かをチェックする。
【００８３】
ステップＳ９において、所定の猶予時間が経過していた場合は、制御演算部２は、ステップＳ１０において、外部の監視室等に不正解除の操作がなされたことを知らせるアラームを通報する。一方、まだ所定の猶予時間が経過していない場合は、Ｓ１に戻って不停止階の解除操作のチェックを繰り返す。
【００８４】
以上のように、実施の形態２によれば、タイマーを備え、最初に不正解除を検出した時間からの経過時間を計測している。これにより、第三者が不停止階の解除を試行錯誤できる時間を所定の猶予時間内に制限している。さらに、関係者が不停止階の解除操作を間違った場合でも、この所定の猶予時間内はやり直せるようにしている。
【００８５】
また、所定の猶予時間内に再度正しい操作が行われない場合は、外部の監視室等にアラームを通報することにより、エレベータかご１内に閉じ込められた第三者を捕まえることができるようにしている。
【００８６】
さらに、タイマー解除操作を用いることにより、関係者が不停止階の解除操作を間違え、さらに不停止階の解除操作を思い出せない場合でも、所定の猶予時間内にこのタイマー解除操作を行うことで、エレベータかご１のドアを開いてエレベータかご１から脱出できるようにしている。
【００８７】
なお、以上の説明では、制御演算部２は、不停止階の解除操作が不正に行われた場合は、不正操作のアナウンスを一回だけ流す（図５のステップＳ５）とした。しかしながら、例えば、複数回アナウンスを流すことも可能である。また、一定期間アナウンスを繰り返し流すことも可能である。また、さらに、タイマーが解除されるまで周期的にアナウンスを通報することも可能である。
【符号の説明】
【００８８】
１  エレベータかご、２  制御演算部、３  外部発報手段、１０  かご内操作盤、１１  行先釦、１２  戸開釦、１３  戸閉釦、１４  解除スイッチ、１５  かご呼び登録検出手段、１６  解除スイッチ検出手段、１７  かご内部制御手段、１８  ドア装置、１９  アナウンス装置、２０  かご動作制御手段。
【図１】
2014094793.tif 000003
【図２】
2014094793.tif 000004
【図３】
2014094793.tif 000005
【図４】
2014094793.tif 000006
【図５】
2014094793.tif 000007